【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
複数の発光部を有する光源手段と、前記複数の発光部から出射した複数の光束を偏向走査する偏向手段と、前記偏向手段の偏向面で偏向走査された複数の光束を各々対応する被走査面上に結像させる１つ以上の走査光学系と、前記被走査面上の走査開始位置のタイミングを制御する１つ以上の同期検出手段と、を有する走査光学装置を１つ以上有する走査光学ユニットであって、
主走査断面内において、前記偏向手段の偏向面に入射する複数の光束の主走査方向の光束幅の各々は、前記偏向面の主走査方向の幅より広く、
前記１つ以上の走査光学系は、１枚以上のプラスチック製の走査光学素子を有し、
前記１つ以上の同期検出手段に入射する光束は、前記走査光学系を構成する少なくとも１枚以上のプラスチック製の走査光学素子を通過しており、
前記１つ以上の走査光学装置の偏向手段の偏向面で偏向走査された複数の光束の被走査面上における走査方向は、全て同一方向であることを特徴とする走査光学ユニット。
【請求項２】
前記偏向手段の偏向面の数をｎ、前記走査光学系の走査画角を±θ（rad）とするとき、
０．８＜θ・ｎ／２π＜０．９５
なる条件を満足することを特徴とする請求項１に記載の走査光学ユニット。
【請求項３】
前記光源手段の発光部の数は２つであり、前記走査光学装置の数は２つであることを特徴とする請求項１又は２に記載の走査光学ユニット。
【請求項４】
前記光源手段の発光部の数は４つであり、前記走査光学装置の数は１つであることを特徴とする請求項１又は２に記載の走査光学ユニット。
【請求項５】
請求項１乃至４の何れか１項に記載の走査光学ユニットと、該走査光学ユニットの被走査面に各々配置され、互いに異なった色の画像を形成する複数の像担持体と、を有することを特徴とするカラー画像形成装置。
【請求項６】
外部機器から入力した色信号を異なった色の画像データに変換して前記走査光学ユニットの１つ以上の走査光学装置に入力せしめるプリンタコントローラと、を有していることを特徴とする請求項５に記載のカラー画像形成装置。
【請求項７】
光源手段と、前記光源手段から出射した光束を偏向走査する偏向手段と、前記偏向手段の偏向面で偏向走査された光束を被走査面上に結像させる走査光学系と、前記被走査面上の走査開始位置のタイミングを制御する同期検出手段と、を有する走査光学装置を複数有する走査光学ユニットであって、
主走査断面内において、前記複数の走査光学装置の各々の偏向手段の偏向面に入射する光束の主走査方向の光束幅は、前記偏向面の主走査方向の幅より広く、
前記複数の走査光学装置の各々の走査光学系は、１枚以上のプラスチック製の走査光学素子を有し、
前記複数の走査光学装置の各々の同期検出手段に入射する光束は、前記走査光学系を構成する少なくとも１枚以上のプラスチック製の走査光学素子を通過しており、
前記複数の走査光学装置の各々の偏向手段の偏向面で偏向走査された光束の被走査面上における走査方向は、全て同一方向であることを特徴とする走査光学ユニット。
【請求項８】
前記偏向手段の偏向面の数をｎ、前記走査光学系の走査画角を±θ（rad）とするとき、
０．８＜θ・ｎ／２π＜０．９５
なる条件を満足することを特徴とする請求項７に記載の走査光学ユニット。
【請求項９】
請求項７又は８に記載の走査光学ユニットと、該走査光学ユニットの被走査面に各々配置され、互いに異なった色の画像を形成する複数の像担持体と、を有することを特徴とするカラー画像形成装置。
【請求項１０】
外部機器から入力した色信号を異なった色の画像データに変換して前記走査光学ユニットの走査光学装置に入力せしめるプリンタコントローラと、を有していることを特徴とする請求項９に記載のカラー画像形成装置。
【手続補正２】
【補正対象書類名】明細書
【補正対象項目名】００１７
【補正方法】変更
【補正の内容】
【００１７】
請求項１の発明の走査光学ユニットは、複数の発光部を有する光源手段と、前記複数の発光部から出射した複数の光束を偏向走査する偏向手段と、前記偏向手段の偏向面で偏向走査された複数の光束を各々対応する被走査面上に結像させる１つ以上の走査光学系と、前記被走査面上の走査開始位置のタイミングを制御する１つ以上の同期検出手段と、を有する走査光学装置を１つ以上有する走査光学ユニットであって、
主走査断面内において、前記偏向手段の偏向面に入射する複数の光束の主走査方向の光束幅の各々は、前記偏向面の主走査方向の幅より広く、
前記１つ以上の走査光学系は、１枚以上のプラスチック製の走査光学素子を有し、
前記１つ以上の同期検出手段に入射する光束は、前記走査光学系を構成する少なくとも１枚以上のプラスチック製の走査光学素子を通過しており、
前記１つ以上の走査光学装置の偏向手段の偏向面で偏向走査された複数の光束の被走査面上における走査方向は、全て同一方向であることを特徴としている。
【手続補正３】
【補正対象書類名】明細書
【補正対象項目名】００１８
【補正方法】変更
【補正の内容】
【００１８】
請求項２の発明は請求項１の発明において、前記偏向手段の偏向面の数をｎ、前記走査光学系の走査画角を±θ（rad）とするとき、
０．８＜θ・ｎ／２π＜０．９５
なる条件を満足することを特徴としている。
【手続補正４】
【補正対象書類名】明細書
【補正対象項目名】００１９
【補正方法】変更
【補正の内容】
【００１９】
請求項３の発明は請求項１又は２の発明において、前記光源手段の発光部の数は２つであり、前記走査光学装置の数は２つであることを特徴としている。
【手続補正５】
【補正対象書類名】明細書
【補正対象項目名】００２０
【補正方法】変更
【補正の内容】
【００２０】
請求項４の発明は請求項１又は２の発明において、前記光源手段の発光部の数は４つであり、前記走査光学装置の数は１つであることを特徴としている。
【手続補正６】
【補正対象書類名】明細書
【補正対象項目名】００２１
【補正方法】変更
【補正の内容】
【００２１】
請求項５の発明のカラー画像形成装置は、請求項１乃至４の何れか１項に記載の走査光学ユニットと、該走査光学ユニットの被走査面に各々配置され、互いに異なった色の画像を形成する複数の像担持体と、を有することを特徴としている。
【手続補正７】
【補正対象書類名】明細書
【補正対象項目名】００２２
【補正方法】変更
【補正の内容】
【００２２】
請求項６の発明は請求項５の発明において、外部機器から入力した色信号を異なった色の画像データに変換して前記走査光学ユニットの１つ以上の走査光学装置に入力せしめるプリンタコントローラと、を有していることを特徴としている。
【手続補正８】
【補正対象書類名】明細書
【補正対象項目名】００２３
【補正方法】変更
【補正の内容】
【００２３】
請求項７の発明の走査光学ユニットは、光源手段と、前記光源手段から出射した光束を偏向走査する偏向手段と、前記偏向手段の偏向面で偏向走査された光束を被走査面上に結像させる走査光学系と、前記被走査面上の走査開始位置のタイミングを制御する同期検出手段と、を有する走査光学装置を複数有する走査光学ユニットであって、
主走査断面内において、前記複数の走査光学装置の各々の偏向手段の偏向面に入射する光束の主走査方向の光束幅は、前記偏向面の主走査方向の幅より広く、
前記複数の走査光学装置の各々の走査光学系は、１枚以上のプラスチック製の走査光学素子を有し、
前記複数の走査光学装置の各々の同期検出手段に入射する光束は、前記走査光学系を構成する少なくとも１枚以上のプラスチック製の走査光学素子を通過しており、
前記複数の走査光学装置の各々の偏向手段の偏向面で偏向走査された光束の被走査面上における走査方向は、全て同一方向であることを特徴としている。
【手続補正９】
【補正対象書類名】明細書
【補正対象項目名】００２４
【補正方法】変更
【補正の内容】
【００２４】
請求項８の発明は請求項７の発明において、前記偏向手段の偏向面の数をｎ、前記走査光学系の走査画角を±θ（rad）とするとき、
０．８＜θ・ｎ／２π＜０．９５
なる条件を満足することを特徴としている。
【手続補正１０】
【補正対象書類名】明細書
【補正対象項目名】００２５
【補正方法】変更
【補正の内容】
【００２５】
請求項９の発明のカラー画像形成装置は、請求項７又は８に記載の走査光学ユニットと、該走査光学ユニットの被走査面に各々配置され、互いに異なった色の画像を形成する複数の像担持体と、を有することを特徴としている。
【手続補正１１】
【補正対象書類名】明細書
【補正対象項目名】００２６
【補正方法】変更
【補正の内容】
【００２６】
請求項１０の発明は請求項９の発明において、外部機器から入力した色信号を異なった色の画像データに変換して前記走査光学ユニットの走査光学装置に入力せしめるプリンタコントローラと、を有していることを特徴としている。
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３５
【補正方法】変更
【補正の内容】
【００３５】
本実施例では同図に示すようにブラック(Bk)とシアン(C)の２つのステーションで１つのポリゴンミラー(偏向手段)５ｋｃを共用して使用して走査光学装置を構成している。またマゼンタ(M)とイエロー(Y)の２つのステーションで１つのポリゴンミラー５ｍｙを共用して使用して走査光学装置を構成している。ポリゴンミラー５ｋｃ,５ｍｙにより偏向された光源手段(本実施例では２つの発光部である光源より成る。)から出射された複数の光束は２つのステーション間で共用された第１の走査光学素子６１ｋｃ,６１ｍｙにより主に主走査断面内の屈折力(パワー)が付加され、対応する折り返しミラーを介した後、それぞれのステーションに個別に配置された第２の走査光学素子６２ｋ,６２ｃ、６２ｍ、６２ｙにより主に副走査断面内のパワーが付加され、対応する被走査面に配置された４つの感光ドラム(像担持体)８ｋ、８ｃ、８ｍ、８ｙ面上に夫々結像される。
【手続補正１７】
【補正対象書類名】明細書
【補正対象項目名】００３６
【補正方法】変更
【補正の内容】
【００３６】
尚、本実施例ではブラック(Bk)とシアン(C)の２つのステーションで１つの走査光学装置を構成し、マゼンタ(M)とイエロー(Y)の２つのステーションで他の１つの走査光学装置を構成し、該２つ走査光学装置で走査光学ユニットを構成しているが、走査光学装置の数は２つ以上複数有することでも良い。又、１つ以上有するものでも良い。
【手続補正１８】
【補正対象書類名】明細書
【補正対象項目名】００４５
【補正方法】変更
【補正の内容】
【００４５】
６ｋｃは集光機能とｆθ特性とを有する走査光学手段（走査光学系）であり、１枚以上のプラスチック材より成る第１、第２のトーリックレンズ（走査光学素子）６１ｋｃ，６２ｋｃを有している。走査光学手段６ｋｃはポリゴンミラー５ｋｃによって反射偏向された画像情報に基づく光束を主走査断面内において被走査面としての感光ドラム面８ｋ上にスポットに結像させ、かつ副走査断面内においてポリゴンミラー５ｋｃの偏向面５１ｋｃと感光ドラム面８ｋとの間を光学的に略共役関係にすることにより、偏向面の倒れを補正している。